(57)【要約】　　　（修正有）【課題】散乱するコードを１つの器具で、コード方向の長さを揃え、横方向は筒形に束ねて、一挙に整理する、コード集束用具を提供する。【解決手段】軟質基板（１）に、両端にＴ字状コード引つ掛け部（２）を設けた、コード巻き付け具（３）を数列、脱着自在にとりつけて、コード（６）の過長な部分を、巻き付け具（３）に巻き付けて揃えた後、軟質基板（１）をコード（６）と共に、丸めて、筒状にまとめた後バンド（５）等で縛り、同時に整理集束する事を特徴とする。【選択図】　　図４
2004119952.tif 000002
【特許請求の範囲】
【請求項１】
樹脂、ゴム、皮、布等よりなる軟質基板（１）に、長方形の硬質板材の両端にＴ字状のコード引つ掛部（２）を設けた、コード巻き付け具（３）を、数列、小ネジ（４）等で着脱自在に取り付けて、軟質基板（１）の下側に固着した、マジツクテープ付きバンド等で、電源コード（６）の長さを揃えて巻き付けた、コード巻き付け具（３）を丸めて縛り、乱れた電源コードを同時に整理集束する、電源コード集束具の構造。
【請求項２】
コード巻き付け具（３）を取り外して、小軟質基板（７）を、小ネジ（４）又は小ネジ付き吸着板（９）等により、取り付けて覆いとして、１列のコード調節具として、併用又は独立して使用出来る様にした、電源コード集束具の構造。
【発明の詳細な説明】
【０００１】
【発明の属する技術分野】
この発明は、散乱した電源コードを、軟質基板に脱着自在に、両端にＴ字状引つ掛け部を設けた、コード巻き取り具を数列取り付け、散乱した電源コードを、コード方向並びに横方向同時に整理集束する、電源コード集束具に関するものである。
【０００２】
【従来の技術】
従来より、コードを丸く巻いて、コード方向の長さのみを調節する丸型、数本のコードに蛇の様に絡ませて、主として横方向のみをまとめる蛇型等の、器具はあるが、両方向同時にまとめるものは無く困つていた。
【０００３】
【発明が解決しようとする課題】
電気製品の普及は目覚しく、特にパソコン、及び周辺機器の登場により、家庭、事務所、工場等において、電源コードの処理に困つており、散乱に伴う事故、災害の発生が見られ、特に老齢化に伴い社会問題ともなつているが、本案はこれを解消したものである。
【０００４】
【課題を解決するための手段】
樹脂、ゴム、皮、布等よりなる軟質基板（１）に、数列の長方形硬質板材の両端に、Ｔ字状コード引つ掛け部を設けた、コード巻き付け具（３）を着脱自在に、小ネジ（４）等で取り付ける。次に軟質基板（１）の外側に、コード巻き付け具（３）と巻き取られたコード（６）とを、筒型にまとめて縛るための、長めのマジツクテープ付きバンド等を固着する（親と仮称する）。コード巻き付け具（３）を取り外して、これに小軟質基板（７）を、小ネジ（４）、又は小ネジ付き吸着盤（９）等により取り付けて、丸めてマジツクテープ（面ファスナー）等で接着すれば、覆いとなり、独立した１列のコード長さ調節具となる（子と仮称する）。親のコード巻き付け具（３）の数の決定と、親子の組み合わせは自在に出来るので、親の単独使用、親子の併用、子のみの単独使用等、各種方法が選定可能で、複雑に乱れた、コード処理に対応出来る様になつた。
【０００５】
【発明実施の形態】
次に本発明の実施の形態を述べる。
（イ）各種コードの乱れに対しては、両端にＴ字状引つ掛け部（２）を設けたコード巻き付け具（３）に電源コード（６）を巻き付けて、先ず長さを揃える。
この際、コードの入り及び最終出し部分は、Ｔ字状引つ掛け部（２）に、小円を描く様に巻き付けて、コードのずれを止める。　尚コード巻き付け具（３）は数列、小ネジ（４）等により、軟質基板（１）に脱着自在に、取り付けてあり、コード数に応じてコード巻き付け具（３）の数を選定出来る。
（ロ）電源コード（６）の巻き付けが終われば、軟質基板（１）をコード（６）ごと、くるりと巻いて、マジツクテープ付きバンド（５）等で縛り、筒型として、体積を小さくしてまとめる。マジツクテープ付きバンド（５）はやや長めの物を使い、余つた部分を利用して、机の脚等に巻き付ければ、場所をとらない。
（ハ）　図６、図７、図８に示す様に、軟質基板（１）より取り外した、コード巻き付け具（３）に、小軟質板（７）を、小ネジ（４）又は小ネジ付き吸着盤（９）を取り付け、覆いとして、親と子を併用、又は親子それぞれ独立して使用する。以上を活用すれば、複雑に乱れたコード（６）を整理集束出来ると共に、子のみを外の電気器具のコード中間に使用して、コードの長さを調整出来る調節具として、独立して使用することが出来る。又本案では電気コード（６）の取り出しは、小軟質基板（７）の片方向のみの出し入れも出来るので、例えば子に小ネジ付き吸着盤を取り付けて、コード収納部の無い、電気器具の適当な場所に接着すれば、コード収納部付き電気器具となり便利である。
【０００６】
【発明の効果】
（イ）電源コード（６）の方向の長さ、及び横方向に乱雑に交叉するコード（６）を、マジツクテープ付きバンド等で縛ることにより、両方向同時に整理集束が早く出来る。
（ロ）電源コード（６）は、１本が１つのコード巻き付け具（３）に巻き付けられているので、他のコードと、接触部分は殆ど無く、電磁波干渉、接触被覆破損、漏電等を防止することが出来ると共に、コード巻き直し等の場合、外のコードとの絡みは無いので、容易に処理できる。
（ハ）コード巻き付け具（３）のコード引つ掛け部（２）の間隔が、例えば１０ｃｍの場合、１巻きで、短縮出来る長さは、３５ｃｍと長く、コード巻き取り性能は高く、丸型の１、５倍にも及び、然も小さくまとまる。
（ニ）　コード集束具は、筒状に巻いて完成するので、体積は小となり、見た目も良く、足等を引つ掛ける事はない。又通風は良く、過熱防止も可能である。
（ホ）　コード巻き付け具を親より取り外して、１列の子をコード中間に使用すれば、１列のコード調節具となる。　コードを整理する場合、親を固定的なコード用とし、移動の多い電気器具、例えば電気スタンドを併用する場合、この子を併用すると、スツキリまとめることが出来て、便利である。又コード片方向出し入れの１列の子を、例えばコード収納部の無い電気器具等に吸着盤等で接着して、利用すれば用途は拡大する。
（ヘ）その他応用使用例は多く、家庭に、事務所に、工場等に置いて、複雑に乱れたコード処理に対応出来る、新しい形の電源コード集束具誕生と、言う事ができる。
【図面の簡単な説明】
【図１】本発明のコード巻き付け具１列を取り外した、親の展開状態を示す上視図。
【図２】本発明の長辺部側視図。
【図４】本発明のコード巻き付け具に、コードを巻き付けた状態を示す展開上視図。
【図５】本発明のコード巻き付け具を、コードと共に軟質基板で、丸めた状態を示す横視図。
【図６】本発明の取り外した、コード巻き付け具に、小軟質基板を取り付けて、コードを巻きつけた、子の状態を示す展開上視図。
【図７】本発明のマジツクテープ（面ファスナー）等により、コード延長方向に丸めた状態を示す横視図。
【図８】本発明の小ネジ付き吸着盤により、コードの出し入れを同一方向にまとめた状態を示す横視図。
【符号の説明】
１　軟質基板、　　　　　　　　　２　Ｔ字状コード引つ掛け部、
３　コード巻き付け具、　　　　　４　小ネジ、
５　マジツクテープ付きバンド、　６　電源コード、
７　小軟質基板、　　　　　　　　８　マジツクテープ（面ファスナー）、
９　小ネジ付き吸着盤、
【図１】
2004119952.tif 000003
【図２】
2004119952.tif 000004
【図３】
2004119952.tif 000005
【図４】
2004119952.tif 000006
【図５】
2004119952.tif 000007
【図６】
2004119952.tif 000008
【図７】
2004119952.tif 000009
【図８】
2004119952.tif 000010
【手続補正書】
【提出日】平成14年12月16日(2002.12.16)
【手続補正１】
【補正対象書類名】明細書
【補正対象項目名】図面の簡単な説明
【補正方法】変更
【補正の内容】
【図面の簡単な説明】
【図１】本発明のコード巻き付け具１列を取り外した、親の展開状態を示す上視図。
【図２】本発明の長辺部側視図。
【図３】本発明の短辺部側視図。
【図４】本発明のコード巻き付け具に、コードを巻き付けた状態を示す展開上視図。
【図５】本発明のコード巻き付け具を、コードと共に軟質基板で、丸めた状態を示す横視図。
【図６】本発明の取り外した、コード巻き付け具に、小軟質基板を取り付けて、コードを巻き付けた、子の状態を示す展開上視図。
【図７】本発明のマジツクテープ（面ファスナー）等により、コード延長方向に丸めた状態を示す横視図。
【図８】本発明の子ネジ付き吸着盤により、コード出し入れを同一方向にまとめた状態を示す横視図。
【符号の説明】
１　軟質基板、　　　　　　　　　２　Ｔ字状コード引つ掛け部、
３　コード巻き付け具、　　　　　４　子ネジ、
５　マジツクテープ付きバンド、　６　電源コード、
７　小軟質基板、　　　　　　　　８　マジツクテープ（面ファスナー）、
９　小ネジ付き吸着盤、